(57)【特許請求の範囲】
【請求項１】
ラックごとに商品を登録し、ラックごとに登録した商品を収納する自動販売機において、
登録する商品をラックにより定まる条件を満たす商品群に規制する登録規制手段と、
ラックと該ラックにより定まる条件を満たす商品群とを関連づけて表示する登録表示手段とを備えたことを特徴とする自動販売機。
【請求項２】
前記ラックが加温設定された商品収納庫に位置する場合に条件を満たす商品群が加温可能な商品群であることを特徴とする請求項１に記載の自動販売機。
【請求項３】
前記ラックが冷却設定された商品収納庫に位置する場合に条件を満たす商品群が冷却可能な商品群であることを特徴とする請求項１または２に記載の自動販売機。
【請求項４】
前記ラックが常温設定された商品収納庫に位置する場合に条件を満たす商品群が常温の商品群であることを特徴とする請求項１〜３のいずれか一つに記載の自動販売機。
【請求項５】
ラックと該ラックに登録した商品とを関連づけて表示する設定表示手段を備えたことを特徴とする請求項１〜４のいずれか一つに記載の自動販売機。
【請求項６】
前記登録表示手段が表示した商品群の中から任意の商品を選択して登録する選択登録手段を備えたことを特徴とする請求項１〜５のいずれか一つに記載の自動販売機。
【発明の詳細な説明】
【技術分野】
【０００１】
本発明は、缶入り飲料、ビン入り飲料、ペットボトル入り飲料などの商品を販売する自動販売機に関する。
【背景技術】
【０００２】
缶入り飲料、ビン入り飲料、ペットボトル入り飲料などの商品を販売する自動販売機は、ラックごとに商品を登録し、ラックごとに登録した商品を収納する。そして、登録した商品を入れ替える場合には、登録した商品を変更し、ラックに収納した商品を変更した商品に入れ替えることになる。
【０００３】
ところで、大型のディスプレイとタッチパネルとを組み合わせた表示部を前面に備えた自動販売機の中には、大型のディスプレイに表示された商品をドラッグ・アンド・ドロップすることにより、ラックごとに商品を登録し、または、ラックごとに登録された商品を入れ替えるものが提案されている（たとえば、特許文献１参照）。
【先行技術文献】
【特許文献】
【０００４】
【特許文献１】特開平１０−１９８８５３号公報
【発明の概要】
【発明が解決しようとする課題】
【０００５】
しかしながら、ラックごとに登録した商品であっても、その商品がラックにより定まる条件を満たさない場合には、その商品を収納できない。たとえば、加温不能な商品（たとえば、炭酸飲料）が登録してある場合に、ラックが加温設定された商品収納庫に位置すると、そのラックにその商品を収納できない。同様に、冷却不能な商品（たとえば、スープ飲料）が登録してある場合に、ラックが冷却設定された商品収納庫に位置すると、そのラックにその商品を収納できない。
【０００６】
本発明は、上記に鑑みてなされたものであって、登録した商品がラックにより定まる条件を満たす自動販売機を提供することを目的とする。
【課題を解決するための手段】
【０００７】
上述した課題を解決し、目的を達成するために、本発明は、ラックごとに商品を登録し、ラックごとに登録した商品を収納する自動販売機において、登録する商品をラックにより定まる条件を満たす商品群に規制する登録規制手段を備えたことを特徴とする。
【０００８】
また、本発明は、上記発明において、前記ラックが加温設定された商品収納庫に位置する場合に条件を満たす商品群が加温可能な商品群であることを特徴とする。
【０００９】
また、本発明は、上記発明において、前記ラックが冷却設定された商品収納庫に位置する場合に条件を満たす商品群が冷却可能な商品群であることを特徴とする。
【００１０】
また、本発明は、上記発明において、前記ラックが常温設定された商品収納庫に位置する場合に条件を満たす商品群が常温の商品群であることを特徴とする。
【００１１】
また、本発明は、上記発明において、ラックと該ラックに登録した商品とを関連づけて表示する設定表示手段を備えたことを特徴とする。
【００１２】
また、本発明は、上記発明において、ラックと該ラックにより定まる条件を満たす商品群とを関連づけて表示する登録表示手段を備えたことを特徴とする。
【００１３】
また、本発明は、上記発明において、前記登録表示手段が表示した商品群の中から任意の商品を選択して登録する選択登録手段を備えたことを特徴とする。
【発明の効果】
【００１４】
本発明にかかる自動販売機は、登録する商品をラックにより定まる条件を満たす商品群に規制するので、登録した商品はラックにより定まる条件を満たすことになる。
【図面の簡単な説明】
【００１５】
【図１】図１は、本発明の実施の形態である自動販売機の外観を示す正面図である。
【図２】図２は、図１に示した自動販売機の内部構成を示す斜視図である。
【図３】図３は、図１に示した自動販売機の制御構成を示すブロック図である。
【図４】図４は、図１に示した自動販売機が販売する商品の設定手順を示すフローチャートである。
【図５】図５は、図４に示した投入商品設定一覧画面表示においてディスプレイに表示される投入商品設定一覧画面の一例を示す図である。
【図６】図６は、図４に示したコラム投入商品設定画面表示においてディスプレイに表示されるラック別商品設定画面の一例を示す図である。
【発明を実施するための形態】
【００１６】
以下に、本発明にかかる自動販売機の実施の形態を図面に基づいて詳細に説明する。なお、この実施の形態によりこの発明が限定されるものではない。
【００１７】
図１は、本発明の実施の形態である自動販売機の外観を示す正面図であり、図２は、図１に示した自動販売機の内部構成を示す斜視図である。また、図３は、図１に示した自動販売機の制御構成を示すブロック図である。
【００１８】
本発明の実施の形態である自動販売機は、缶入り飲料、ビン入り飲料、ペットボトル入り飲料などの商品を販売する自動販売機であって、図２に示すように、本体キャビネット１を有している。本体キャビネット１は、複数の鋼板を適宜組み合わせることにより、前面が開口した箱状に構成してあり、本体キャビネット１の前面開口は、開閉可能な外扉２によって閉塞される。
【００１９】
本体キャビネット１の内部は、機械室３と商品収容室４とに画成されている。また、商品収容室４は、断熱仕切板によってさらに三つの商品収納庫４ａ，４ｂ，４ｃに仕切られている。これら三つの商品収納庫４ａ，４ｂ，４ｃのうち、正面向かって左側の商品収納庫４ａ（以下、「右庫」という）４ａと中央の商品収納庫（以下「中庫」という）４ｂとは、冷温切り替えが可能である。そして、商品収納庫４ａ（４ｂ）を冷却に設定した場合には、商品収納庫４ａ（４ｂ）の内部を冷却し、商品収納庫４ａに収納した商品を冷却する。一方、商品収納庫４ａ（４ｂ）を加温に設定した場合には、商品収納庫４ａ（４ｂ）の内部を加温し、商品収納庫４ａ（４ｂ）に収納した商品を加温する。また、正面向かって右側の商品収納庫（以下、「右庫」という）４ｃは、冷却専用庫であり、商品収納庫４ｃの内部を冷却し、商品収納庫４ｃに収納した商品を冷却する。
【００２０】
商品収納庫４ａ，４ｂ，４ｃには、それぞれ商品収納ラック５が搭載してある。本発明の実施の形態である自動販売機は、左庫４ａと右庫４ｃの幅方向に二列の商品収納ラック５が搭載してあり、中庫４ｂの幅方向に一列の商品収納ラック５が搭載してある。また、商品収納ラック５には、商品収納庫４ａ，４ｂ，４ｃの奥行き方向に五つの通路（以下、この通路を便宜上、「ラック」と称する）が設けてあり、各通路には商品が収納可能となっている。
【００２１】
図１に示すように、外扉２の前面右側中程には、メインドアロック２１が設けてあり、外扉２を閉塞した状態で施錠される。また、外扉２の前面上方部には、表示部２２が設けてある。表示部２２は、大型のディスプレイ２２１（図３参照）とタッチパネル２２２（図３参照）とを組み合わせたものであり、販売可能な商品が表示され、商品の表示領域に触れることにより商品が選択される。また、表示部２２には、販売中、釣り銭切れ、準備中、お札中止のほか、投入金額等の各種情報が表示される。
【００２２】
また、表示部２２の下方となる外扉２の中程には、硬貨投入口２３、紙幣挿入口２４、返却レバー２５、電子マネーリーダライタ２６が設けてある。
【００２３】
硬貨投入口２３は、硬貨を受け付けるための開口であって、硬貨投入口２３から投入された硬貨は、外扉２の背面に配設したコインメカニズム（硬貨処理装置）３１（図２参照）に収容される。コインメカニズム３１は、各種硬貨の投入枚数を整理し、後述するメインコントローラ４０（図３参照）に送信する一方、メインコントローラ４０からの指令に従い、各種硬貨を払い出す。
【００２４】
紙幣挿入口２４は、紙幣を受け付けるための開口であって、紙幣挿入口２４から挿入された紙幣は、外扉２の背面に配設したビルバリデータ（紙幣処理装置）３２（図２参照）に収容される。ビルバリデータ３２は、紙幣の投入枚数を整理し、メインコントローラ４０（図３参照）に送信する一方、メインコントローラ４０からの指令に従い、紙幣を払い出す。
【００２５】
返却レバー２５は、取引の中断を指示するためのもので、返却レバー２５が操作されると、取引が中断され、釣り銭等を返却口２７に放出する。電子マネーリーダライタ２６は、カードを識別し、カードにチャージされた電子マネーにより決済を実行する。
【００２６】
また、外扉２の下方となる位置には、取出口２８が設けてある。取出口２８は、商品収納ラック５から搬出された商品を取り出すための開口である。
【００２７】
また、外扉２の背面には、リモコン３３（図３参照）が配設してある。リモコン３３は、各種設定操作、各種売上データの確認操作をおこなうためのもので、操作キー、冷温切替スイッチのほか、各種設定データや確認データが表示されるモニタ（液晶キャラクタディスプレイ）を備えている。そして、リモコン３３から設定入力された設定データはメインコントローラ４０に送信され、メインコントローラ４０から送信された確認データを受信する。
【００２８】
また、本体キャビネット１には、ドアスイッチ３４（図３参照）が設けてある。ドアスイッチ３４は、外扉２の開閉状態を検出するためのもので、外扉２を開放した場合にオンとなり、閉塞した場合にオフとなる。
【００２９】
図３に示すように、上述したコインメカニズム３１、ビルバリデータ３２、電子マネーリーダライタ２６は、ライン４１を介してメインコントローラ（主制御部）４０に接続してあり、表示部２２（ディスプレイ２２１およびタッチパネル２２２）、リモコン３３は、ライン４２を介してメインコントローラ４０に接続してある。また、メインコントローラ４０には、ライン４３を介して本体スレーブ（制御部）４４が接続してある。
【００３０】
本体スレーブ４４には、上述したドアスイッチ３４のほか、冷熱装置４５、搬出装置４６が接続してあり、メインコントローラ４０からの指令に従って冷熱装置４５、搬出装置４６を制御する。
【００３１】
冷熱装置４５は、上述した商品収納庫４ａ，４ｂ，４ｃを設定された状態に管理するためのもので、冷却設定された商品収納庫の内部を冷却する一方、加温設定された商品収納庫の内部を加温する。
【００３２】
搬出装置４６は、ラックごとに設けられたベンドソレノイド、売切スイッチを管理するためのもので、メインコントローラ４０から本体スレーブ４４に送信された搬出命令に従ってラックから商品を搬出する一方、ラックに収納された商品のすべてを搬出した場合に売切信号を本体スレーブ４４に出力する。
【００３３】
図３に示すように、メインコントローラ４０は、制御手段４０ａ、設定記憶手段４０ｂ、登録規制手段４０ｃ、設定表示手段４０ｄ、登録表示手段４０ｅ、選択登録手段４０ｆを備えている。
【００３４】
制御手段４０ａは、電子マネーリーダライタ２６、コインメカニズム３１、ビルバリデータ３２、表示部２２（ディスプレイ２２１、タッチパネル２２２）、リモコン３３、本体スレーブ４４等の各スレーブの制御を集中管理するもので、設定記憶手段４０ｂに記憶された各種設定データに基づいて各スレーブを制御する。
【００３５】
設定記憶手段４０ｂには、商品収納庫４ａ，４ｂ、４ｃの状態（加温、冷却の別）、商品収納庫４ａ，４ｂ，４ｃに関連づけられたラック（商品収納ラック５に画成された通路）およびラック番号、ラックに収納する商品の商品名、現金で販売するときの価格、カードで販売するときの価格、商品コード、商品の画像のほか、ラックが関連づけられたコラム、コラムが関連づけられたディスプレイ２２１の表示領域が記憶される。
【００３６】
登録規制手段４０ｃは、登録する商品をラックにより定まる条件を満たす商品群に規制するためのものである。ラックにより定まる条件とは、加温設定された商品収納庫（図５において左庫４ａ）に位置するラックの場合には、加温可能な商品群であることであり、冷却設定された商品収納庫（図５において中庫４ｂ）に位置する場合には、冷却可能な商品群であることである。なお、ラックにより定まる条件は、加温設定または冷却設定に限定されるものではなく、商品の高さや、商品の胴径により定まることも想定される。
【００３７】
設定表示手段４０ｄは、ラックと該ラックに登録した商品とを関連づけてディスプレイ２２１に表示するためのもので、具体的には、ラックと該ラックに登録した商品とを関連づけた一覧表をディスプレイ２２１に表示する（図５参照）。
【００３８】
登録表示手段４０ｅは、ラックと該ラックにより定まる条件を満たす商品群とを関連づけてディスプレイ２２１に表示するためのもので、具体的には、ラックと該ラックにより定まる条件を満たす商品群の一覧を関連づけてディスプレイ２２１に表示する（図６参照）。たとえば、自動販売機に収納可能な商品群の一覧を用意しておき、ラックにより定まる条件を満たす商品群を通常表示する一方、条件を満たさない商品群をグレー表示してもよいし、ラックにより定まる条件を満たさない商品群を非表示にしてもよい。
【００３９】
選択登録手段４０ｆは、登録表示手段４０ｅが表示した商品群の中から任意の商品を選択して登録するためのもので、具体的には、登録表示手段４０ｅがディスプレイ２２１に表示した商品群の中から選択して登録する。たとえば、登録表示手段４０ｅディスプレイ２２１に表示した商品群の中の商品の表示に触れることにより、選択して登録する。
【００４０】
図４は、図１に示した自動販売機が販売する商品の設定手順を説明するフローチャートである。図５は、図４に示した投入商品設定一覧画面表示においてディスプレイに表示される投入商品一覧画面の一例を示す図であり、図６は、図４に示したラック投入商品設定画面表示においてディスプレイに表示されるコラム別商品設定画面の一例を示す図である。
【００４１】
上述した本発明の実施の形態である自動販売機において、販売する商品を設定する場合には、まず、外扉２を開放する。すると、ドアスイッチ３４がオフからオンに移行し（ステップＳ１：Ｙｅｓ）、表示部２２のディスプレイ２２１には各種モードが表示される（ステップＳ２）。つぎに、表示された各種モードの中からメンテナンスモードを選択する（ステップＳ３：Ｙｅｓ）。具体的には、メンテナンスモードが表示された領域に触れることにより、メンテナンスモードを選択する。すると、表示部２２のディスプレイ２２１には各種メンテナンスモードが表示される（ステップＳ４）。つづいて、表示部２２のディスプレイに表示されたメンテナンスモードの中からラック設定を選択する（ステップＳ５：Ｙｅｓ）。具体的には、ラック選択が表示された領域に触れることにより、ラック設定を選択する。ラック設定を選択すると、設定表示手段４０ｄがラックと該ラックにより定まる商品群の一覧を関連づけて表示部２２のディスプレイ２２１に表示する。具体的には、図５に示すように、投入商品設定一覧画面を表示部２２のディスプレイに表示する（ステップＳ６）。投入設定一覧画面には、商品収納庫の状態（加温、冷却の別）、ラックの位置、ラック番号、ラックに収納する商品の商品名、現金で販売するときの価格、カードで販売するときの価格、商品コード、商品の画像が表示される。
【００４２】
図５には、左庫４ａが加温設定され、中庫４ｂが冷却設定された例が示されている（右庫４ｃは冷却専用）。また、左庫４ａと右庫４ｃには、幅方向に二列、奥行き方向に五つのラックが設けてあり、中庫４ｂには、幅方向に一列、奥行き方向に５つのラックが設けてある。そして、これらのラックには、ラック番号、商品の商品名、現金で販売するときの価格、カードで販売するときの価格、商品コード、商品の画像が関連づけて表示される。
【００４３】
つぎに、投入商品一覧画面に表示されたラックの中から任意のラックを選択する（ステップＳ７）。具体的には、任意のラックの表示領域に触れることにより、任意のラックを選択する。任意のラックを選択すると、登録表示手段４０ｅがラックと該ラックにより定まる条件を満たす商品群の一覧を関連づけて表示部２２のディスプレイ２２１に表示する。具体的には、図６に示すように、ラック別投入商品設定画面を表示部２２のディスプレイ２２１に表示する（ステップＳ８）。ラック別投入商品設定画面には、設定するラックのラック番号、現在設定、ラックにより定まる条件を満たす商品の一覧が表示される。なお、ここでは、自動販売機に収納可能な商品群のうち、ラックにより定まる条件を満たす商品群を通常表示する一方、条件を満たさない商品群をグレー表示することにより、ラックにより定まる条件を満たす商品群の一覧を明示している。
【００４４】
図６には、ラック番号１０のラックのラック別投入商品設定画面の例が示されている。投入商品設定画面には、ラック番号、現在設定、ラック番号１０のラックにより定まる条件を満たす商品群の一覧が表示されている。なお、図５に示すように、ラック番号１０のラックは、加温設定された左庫４ａに位置するので、ラックにより定まる条件を満たす商品群は、加温可能な商品群に限られる。
【００４５】
ここで、投入商品を変更する場合には、ラック別投入商品設定画面に通常表示された商品群の中から任意の商品を選択する（ステップＳ９：Ｙｅｓ）。具体的には、任意の商品の表示領域に触れることにより、任意の商品を選択する。任意の商品を選択すると、選択登録手段４０ｆがその商品をラックに関連づけて登録する（ステップＳ１０）。
【００４６】
その後、決定表示領域に触れると（ステップＳ１１：Ｙｅｓ）、ラックごとに登録した商品が入れ替わり、新たな商品がラックに登録した商品となる（ステップＳ１２）。このようにしてすべてのラックに商品を登録し、自動販売機が販売する商品の設定が終了する（ステップＳ１３：Ｙｅｓ）。
【００４７】
上述した本発明の実施の形態である自動販売機は、登録する商品をラックにより定まる条件を満たす商品群に規制するので、登録した商品はラックにより定まる条件を満たすことになる。たとえば、ラックが加温設定された商品収納庫に位置する場合に条件を満たす商品群は、加温可能な商品群であり、登録する商品を加温可能な商品群に規制するので、加温不能な商品が登録させることがない。同様に、ラックが冷却設定された商品収納庫に位置する場合に条件を満たす商品群は、冷却可能な商品群であり、登録する商品を冷却可能な商品群に規制するので、冷却不能な商品が登録されることがない。
【００４８】
また、ラックと該ラックに登録した商品とを関連づけて表示するので、ラックに登録された商品がいかなる商品であるか簡単に調べることができる。また、ラックと該ラックにより定まる条件を満たす商品群とを関連づけて表示するので、ラックに登録できる商品群を簡単に調べることができる。さらに、ラックに登録できる商品群の中から任意の商品を選択して登録するので、ラックにより定まる条件を満たさない商品が登録されることがない。
【００４９】
なお、上述した本発明の実施の形態では、加温または冷却可能な商品群についてのみ説明したが、常温の商品群についても同様に行えるものであり、常温商品としては、お菓子・景品などが考えられる。
【符号の説明】
【００５０】
１    本体キャビネット
２    外扉
２１    メインドアロック
２２    表示部
２２１    ディスプレイ
２２２    タッチパネル
３４    ドアスイッチ
４ａ，４ｂ，４ｃ    商品収納庫
５    商品収納ラック
４０    メインコントローラ
４０ａ    制御手段
４０ｂ    設定記憶手段
４０ｃ    登録規制手段
４０ｄ    設定表示手段
４０ｅ    登録表示手段
４０ｆ    選択登録手段
【図１】
0005712708.tif 000002
【図２】
0005712708.tif 000003
【図３】
0005712708.tif 000004
【図４】
0005712708.tif 000005
【図５】
0005712708.tif 000006
【図６】
0005712708.tif 000007